(57)【要約】  【課題】  本発明は、使用者のメンテナンス作業を軽減することができ、ヘアキャッチャーの取り付け・取り外しの際に、応力の係りにくいヘアキャッチャーを提供することを目的としている。  【解決手段】  本発明は、排水口に配置される網蓋と、この網蓋の中央に突出させた起立体とを備え、上記起立体に手掛け部を付設したヘアキャッチャーである。  【選択図】  図４
2007205013.tif 000002
【特許請求の範囲】
【請求項１】
排水口に配置される網蓋と、この網蓋の中央に突出させた起立体とを備え、上記起立体に手掛け部を付設したヘアキャッチャー。
【請求項２】
請求項１において、手掛け部が、網蓋領域内に設けられたヘアキャッチャー。
【請求項３】
請求項１又は２において、網蓋が、手掛け部の投射領域内の網を閉塞させたヘアキャッチャー。
【請求項４】
請求項１乃至３の何れかにおいて、起立体が、平面頂部と、この平面頂部の周壁とを有し、上記平面頂部及び／又は周壁を網体としたヘアキャッチャー。
【請求項５】
請求項１乃至４の何れかにおいて、手掛け部が、この手掛け部と網蓋とを接続するリブを有しているヘアキャッチャー。
【請求項６】
請求項１乃至５の何れかにおいて、手掛け部が、網体の中心位置から等角度間隔で設けられたヘアキャッチャー。
【請求項７】
請求項１乃至６の何れかにおいて、手掛け部が、上方への反りを有したヘアキャッチャー。
【請求項８】
請求項１乃至７の何れかにおいて、手掛け部が、平面視において、起立体から外方へと延出される中で、その一部に凹み形状を備えるヘアキャッチャー
【請求項９】
請求項１乃至８の何れかにおいて、網蓋及び／又は起立体が、金属製であるヘアキャッチャー。
【請求項１０】
請求項１乃至９の何れかにおいて、手掛け部が、その手掛け部と接する面との接続部分形状に丸みを持たせたものとするヘアキャッチャー。
【請求項１１】
請求項１乃至１０の何れかにおいて、起立体が、その平面視中央を通る回転つまみを有するヘアキャッチャー。
【請求項１２】
請求項１１において、回転つまみが、平面視Ｓ字状であるヘアキャッチャー。
【請求項１３】
請求項１乃至１２の何れかに記載されるヘアキャッチャーを備えた浴室ユニット。
【発明の詳細な説明】
【技術分野】
【０００１】
本発明は、排水口等に設置され、髪の毛等の流出を阻止するヘアキャッチャー、及び、このヘアキャッチャーを備えた浴室ユニットに関する。
【背景技術】
【０００２】
浴室ユニット、シャワー室、サウナ室等は、水を使用するところであり、その水を排水するための排水口が設けられている。そして、この排水口には、下流の排出管が詰まらないように、ゴミ取りのフィルタが設けられており、主なゴミとして毛髪があることから、ヘアキャッチャーと呼ばれることが多い。
【０００３】
図１は、従来使用されている浴室ユニットを示す斜視図である。浴室ユニット１は、その底部に防水パン２が配置され、その一方に浴槽３を乗せ、他方を洗い場４として使用している。また、防水パン２の周囲は、壁パネル５により囲い、その上に図示を省略する天井パネルを接続固定している。壁パネル５には、カウンター６を固定し、その他、図示を省略する、照明器具、鏡、水栓、シャワー等も設置される。
防水パン２の略中央には、目皿７が設置されており、この目皿７の下に排水口が設けられている。目皿７は、排水口を直接使用者が見えないようにすることで、美観を向上させると共に、段差を解消している。
【０００４】
図２は、図１に示す目皿を取り外した箇所の拡大斜視図である。目皿の下は、排水を貯留可能な排水マス８が形成され、この排水マス８の底部中央に、排水口９が設けられている。そして、排水口９には、ヘアキャッチャー１０が設置されている。
【０００５】
図３は、図２に示すヘアキャッチャーの斜視図である。ヘアキャッチャー１０は、排水を通過させ、髪ゴミ等をせき止める孔１１を多数有し、更には、つまみ１２を備えている。このつまみ１２は、使用者が、適宜髪ゴミ等をヘアキャッチャー１０から取り除く際に、直接髪ゴミに触れることなく、ヘアキャッチャー１０を排水口から取りはぜるように付加されるものである。
【特許文献１】特開２００５−１４６５４２号公報
【発明の開示】
【発明が解決しようとする課題】
【０００６】
しかしながら、図２及び図３に示すヘアキャッチャーは、孔を設けた部分が平面形状をしており、使用者が頻繁に髪ゴミ等を清掃する必要があり、メンテナンス作業が極めて煩雑なものとなっていた。
また、つまみが、ヘアキャッチャーの端部に接続されることから、ヘアキャッチャーを取り外す際に、ヘアキャッチャーに対し大きな応力を与え、ヘアキャッチャーの耐久度を大きくする必要もある。
【０００７】
本発明は、使用者のメンテナンス作業を軽減することができ、ヘアキャッチャーの取り付け・取り外しの際に、応力の係りにくいヘアキャッチャー、及び、このヘアキャッチャーを備えた浴室ユニットを提供することを目的としている。
【課題を解決するための手段】
【０００８】
（１）本発明は、排水口に配置される網蓋と、この網蓋の中央に突出させた起立体とを備え、上記起立体に手掛け部を付設したヘアキャッチャーである。
（２）項（１）において、手掛け部が、網蓋領域内に設けられたヘアキャッチャー。
（３）項（１）又は（２）において、網蓋が、手掛け部の投射領域内の網を閉塞させたヘアキャッチャー。
（４）項（１）乃至（３）の何れかにおいて、起立体が、平面頂部と、この平面頂部の周壁とを有し、上記平面頂部及び／又は周壁を網体としたヘアキャッチャー。
（５）項（１）乃至（４）の何れかにおいて、手掛け部が、この手掛け部と網蓋とを接続するリブを有しているヘアキャッチャー。
（６）項（１）乃至（５）の何れかにおいて、手掛け部が、網体の中心位置から等角度間隔で設けられたヘアキャッチャー。
（７）項（１）乃至（６）の何れかにおいて、手掛け部が、上方への反りを有したヘアキャッチャー。
（８）項（１）乃至（７）の何れかにおいて、手掛け部が、平面視において、起立体から外方へと延出される中で、その一部に凹み形状を備えるヘアキャッチャー。
（９）項（１）乃至（８）の何れかにおいて、網蓋及び／又は起立体が、金属製であるヘアキャッチャー。
（１０）項（１）乃至（９）の何れかにおいて、手掛け部が、その手掛け部と接する面との接続部分形状に丸みを持たせたものとするヘアキャッチャー。
（１１）項（１）乃至（１０）の何れかにおいて、起立体が、その平面視中央を通る回転つまみを有するヘアキャッチャー。
（１２）項（１１）において、回転つまみが、平面視Ｓ字状であるヘアキャッチャー。
（１３）項（１）乃至（１２）の何れかに記載されるヘアキャッチャーを備えた浴室ユニット。
【発明の効果】
【０００９】
本発明によれば、網蓋に起立体を設けたことにより、仮に網蓋の起立体以外の部分が閉塞したとしても、それよりも高い位置にある起立体の孔より排水されるので、メンテナンス頻度を下げることができ、手掛け部を起立体に設けたことで、網蓋の取り付け・取り外しの際に、網蓋に応力が係りにくい。また、メンテナンスを行う者は、髪ゴミ等に直接触れることなく、ヘアキャッチャーを取り外すことができる。
手掛け部を網蓋領域内に設けた場合は、手掛け部が網蓋端部よりも外方へと突出しないことから、ヘアキャッチャーの外形寸法を小さくすることができ、排水マス、目皿等を小さくして目立たなくすることができる。
網蓋が、手掛け部の投射領域内の網を閉塞している場合は、手掛け部近傍が排水流路とならないことから、髪ゴミ等が手掛け部周囲に溜まりにくく、メンテナンス者に不快感を与えない。
起立体が、平面頂部及び周壁を備えた場合は、網蓋の表面積を増加させることで、排水効率を向上させることができ、網蓋の底部が閉塞された際は、起立体より、起立体の周壁さえも閉塞したとしても頂部より、排水を行うことができる。
手掛け部と、網蓋とを接続するリブを設けた場合は、手掛け部から網蓋へとかかる応力を、分散することにより緩和でき、網蓋の変形を防止することができる。
手掛け部が、網体の中心位置から等角度間隔で設けられた場合は、どのような方向からでもヘアキャッチャーを取り外すことができ、片手で作業を行ったとしても、全体に均等に力をかけることができる。
手掛け部が、上方への反りを有している場合は、メンテナンス者があまり手首を曲げることなく取り外し作業を行え、また、手掛け部が、凹みを有している場合は、なお一層取り外し作業を行いやすい。
網蓋及び／又は起立体が、金属製である場合は、金属中のイオンの働きにより、異臭の発生源ともなる菌の増殖を抑制することができる。
手掛け部の接する部分との接続箇所が、丸みを有している場合は、清掃性を向上させることができ、排水口周囲を衛生的に保つことができる。
起立体が、その中央を通る回転つまみを有する場合は、メンテナンス者の手の大きさによらず、ヘアキャッチャーを容易に着脱することができ、網蓋全体に均一な力をかけ、局所的な応力を緩和することができる。また、回転つまみをＳ字状とすることで、メンテナンス者の指掛かりを、一層容易にすることができる。
本発明のヘアキャッチャーを備えた浴室ユニットは、メンテナンス頻度を低く抑えることができる。
【発明を実施するための最良の形態】
【００１０】
本発明にて述べる排水口は、使用済みの排水が流入し、系外へと排出するものであれば特に制限されるものではなく、その形状も四角形、楕円形、円形等、任意の形状とすることができ、特に、円形のものが、既存の部材を適用しやすく好ましい。
排水口のある場所は、特に制限されないが、具体的には、浴室ユニット、シャワー室、サウナ室、洗面台、台所等である。
【００１１】
本発明にて述べる網蓋は、排水を通過させ、髪ゴミ等を捕集する孔を有しているものであれば、特に制限されるものではなく、その材質も特に制限されない。材質についてより具体的に記載すると、合成樹脂又は金属を使用することが好ましく、合成樹脂であれば除菌効果を有するもの、金属であれば銀又は銅製とすることが、菌増殖の抑制効果を得られ好ましい。
【００１２】
本発明にて述べる起立体は、網蓋の中央にて上方へと突出させたものであり、その形状は特に制限されず、具体的には、垂直断面が、山形、台形、四角形、半円形、半楕円形のもの等を用いることができる。起立体は、排水を通す孔を有しており、山形に代表される周壁を有するものはその周壁に孔を設け、台形に代表される周壁及び頂部の両方に孔を設けることが好ましい。
【００１３】
本発明にて述べる手掛け部は、ヘアキャッチャーを着脱する際に、メンテナンス者が手をかける部分であり、先に述べた起立体に対し付設される。手掛け部は、起立体と一体成形したものでも、融着、接着、ビス止め、嵌合させる等して後付したものでも良い。また、手掛け部は、直接起立体に付設しても、リブを介して付設しても、起立体及びリブの双方に付設してもよい。
手掛け部は、その大きさを特に制限されるものではないが、網蓋領域内に収まる大きさとすることが好ましい。ここで述べる網蓋領域内とは、網蓋を上面から見た際に、その網蓋を形成する成形体の周囲よりも内側の領域（水平方向領域）のことを意味する。
また、手掛け部を付設する起立体には、孔を設けるが、この孔の中で、手掛け部の投射領域内では孔を閉塞させることが好ましい。これは、排水流路を手掛け部より遠ざけることを目的とし、手掛け部の周囲に髪ゴミ等を溜まらないようにする効果がある。ここで述べる投射領域内とは、手掛け部を上面より見た際に、手掛け部により隠れる起立体の領域を意味する。
手掛け部は、起立体に対し、１つだけ設けても、複数設けてもよく、複数設ける場合には、網蓋の中心より等角度間隔にて設けることが好ましい。具体的には、２つ設けるのであれば１８０度間隔、３つ設けるのであれば１２０度間隔、４つ設けるのであれば９０度間隔、５つ設けるのであれば７２度間隔に設けることができる。
手掛け部は、その形状として、特に制限されるものではないが、ヘアキャッチャーを脱着し易いように、上方へと反りを設けることが好ましく、指をかけやすいように凹みを設けることも好ましい。また、車のガソリンタンクキャップのように、起立体の中央を通る回転つまみを設けることも好ましく、この回転つまみが、Ｓ字状であることが、より好ましい。
【実施例１】
【００１４】
以下、図面を用いて本発明の実施例を説明する。
図４は、本発明の１実施例であるヘアキャッチャーの平面図及び向きを９０度変化させた側面図である。
ヘアキャッチャー１０は、格子状に配列した孔１１を備えた円形の網蓋１３と、この網蓋１３の中央部に設けた起立体１４とを備えている。起立体１４は、側面視にて台形をしており、その周壁１５及び平面頂部１６の双方に孔１１を設けている。網蓋１３に設けた孔の大きさは、本実施例では一辺４ｍｍの正方形を基準として、一部にそれよりも小さな長方形を用いており、平面頂部１６に設けた孔１１も同様にしている。周壁１５に設けた孔１１は、起立体１４の中心（平面頂部１６の中心）方向からの放射状の縦格子と、水平方向に周壁を周回する横格子とを組み合わせることで形成させている。
【００１５】
網蓋１３の周囲下端は、リブ１７を起立させており、このリブ１７に嵌合溝１８を設けてある。嵌合溝１８は、図示を省略する排水口に設けた溝と回転嵌合するものであり、排水量が増加した際に、ヘアキャッチャー１０が排水中に浮き上がることを阻止している。
【００１６】
起立体１４は、その平面頂部１６に手掛け部１９が、１８０度対向するように一対設けられており、その形状は、平面視にて略長方形をした板状で、先端が、網蓋１３の円周周囲端部の範囲内（網蓋領域内）に収まるようにしてある。
また、手掛け部１９の投射領域２１（図５参照）内では、孔１１を設けておらず、手掛け部１９の周囲に水路を形成しないようにしている。これにより、手掛け部１９の周囲には、髪ゴミ等が堆積することなく、メンテナンス者が手掛け部１９に手を掛ける際に、不快感を持つことがない。
【００１７】
手掛け部１９は、一端を起立体１４に固定してあれば用をなすが、本実施例では、より強度を増すように、手掛け部１９の下面と網蓋１３とを接続するリブ２０を設けている。リブ２０は、手掛け部１９、起立体１４の周壁１５、及び、網蓋１３と接続されており、側面図に示すように、手掛け部１９との接続部分、及び、網蓋１３との接続部分に丸み（Ｒ）を持たせてあり、清掃しやすいようにしてある。
【００１８】
手掛け部１９は、本実施例では、１８０度対向させて一対設けているが、適宜選択することができ、図６に示すように、１２０度毎に設けた（ａ）のもの、９０度毎に設けた（ｂ）のもの、７２度毎に設けた（ｃ）のもの、６０度毎に設けた（ｄ）のもの等とすることができる。また、等角度間隔にて設けることなく、円盤状に設けることも可能ではあるが、この場合、排水流路を狭くするので好ましくない。
【実施例２】
【００１９】
図７は、本発明の別の実施例であるヘアキャッチャーの概略側面図である。
本実施例では、ヘアキャッチャー１０に設けた手掛け部１９が、上方へと反りを備えており、メンテナンス者が、ヘアキャッチャー１０の脱着を行う際に、手首をあまり返すことなく、作業を行うことができる。
また、図７に示すヘアキャッチャー１０は、網蓋１３及び起立体１４を銅製としており、菌の増殖を抑制できるようにしてあり、ぬめりも軽減することができる。
【実施例３】
【００２０】
図８は、本発明の更に別の実施例であるヘアキャッチャーの概略平面図である。
本実施例では、ヘアキャッチャー１０に設けてある手掛け部１９が、平面視において、起立体１４から外方へと延出される途中で凹み部２２を設けてある。凹み部２２は、平面視において、手掛け部１９の対向する両辺に設けられており、メンテナンス者の指をかけやすくすると共に、凹み部２２の設けていないものに比べ、手掛け部１９の投射領域を狭め、排水通路を広くとることができる。
また、本実施例では、手掛け部１９の先端部を網蓋１３の周縁部と同一曲線を持つようにしてあり、他の障害物に対する引っかかりがない。
【００２１】
図９は、本発明の１実施例であるヘアキャッチャーの概略平面及び概略側面図である。
本実施例では、ヘアキャッチャー１０の手掛け部１９上面に、回転つまみ２３を設置している。回転つまみ２３は、平面図にて理解できるように、平面視Ｓ字状のカーブを描いており、ヘアキャッチャー１０を回転させることで排水口から取り外す際に、メンテナンス者の指に掛かりやすく、力を伝達しやすくしている。
回転つまみ２３の高さは、平面頂部１６の上面から１５ｍｍとしており、平面頂部１６の中央部上方を最大高さとして、左右対称になだらかに低くなるようにしている。
【００２２】
図１０は、本発明の浴室ユニットの１実施例を示す概略斜視図である。浴室ユニット１は、防水パン２の洗い場４であって、且つ、浴槽３と隣接する場所に、排水マス８を設けてあり、この排水マス８の底面に、図９にて説明したヘアキャッチャー１０を設置している。
【００２３】
メンテナンス者は、入浴時等に排水の流れを見ることで、髪ゴミ等による目詰まりを認識した後は、図示を省略する目皿を取り外し、ヘアキャッチャー１０を取り外してゴミを取り除く。メンテナンス者は、ヘアキャッチャー１０の手掛け部１９、又は、回転つまみ２３をつかんで、ヘアキャッチャー１０を排水口から取り外すことができ、この際、手掛け部１９の周囲に水路を形成しないようにすることで、手に髪ゴミ等が付着することがない。
【００２４】
回転つまみ２３の最も高い位置は、図示を省略する目皿の裏面から２ｍｍ程の離間を有する高さにしてあり、離間を持たせることで、メンテナンス者が目皿に乗り、目皿が撓んでもヘアキャッチャー１０に接触して異音を発生させないようにし、且つ、目皿とヘアキャッチャー１０とが非接触となる中での最高高さとすることで、メンテナンス者のかがみ量を減少（排水マス８の奥深くまで手を入れる必要がない）させている。
【図面の簡単な説明】
【００２５】
【図１】従来例を示す浴室ユニットの斜視図である。
【図２】図１に示す浴室ユニットの目皿を取り外した拡大斜視図である。
【図３】図２に示すヘアキャッチャーの斜視図である。
【図４】図４は、本発明のヘアキャッチャーを示す平面図及び側面図である。
【図５】図４に示すヘアキャッチャーのＡ−Ａ断面図である。
【図６】本発明の１実施例であるヘアキャッチャーの概略平面図であり、（ａ）は手掛け部を３つ設けたもの、（ｂ）は手掛け部を４つ設けたもの、（ｃ）は手掛け部を５つ設けたもの、（ｄ）は手掛け部を６つ設けたものを示す。
【図７】本発明の１実施例であるヘアキャッチャーの概略側面図である。
【図８】本発明の１実施例であるヘアキャッチャーの概略平面図である。
【図９】本発明の１実施例であるヘアキャッチャーの概略平面及び概略側面図である。
【図１０】本発明の１実施例である浴室ユニットの概略斜視図である。
【符号の説明】
【００２６】
１…浴室ユニット、２…防水パン、３…浴槽、４…洗い場、５…壁パネル、６…カウンター、７…目皿、８…排水マス、９…排水口、１０…ヘアキャッチャー、１１…孔、１２…つまみ、１３…網蓋、１４…起立体、１５…周壁、１６…平面頂部、１７…リブ、１８…嵌合溝、１９…手掛け部、２０…リブ、２１…投射領域、２２…凹み部、２３…回転つまみ。
【図１】
2007205013.tif 000003
【図２】
2007205013.tif 000004
【図３】
2007205013.tif 000005
【図４】
2007205013.tif 000006
【図５】
2007205013.tif 000007
【図６】
2007205013.tif 000008
【図７】
2007205013.tif 000009
【図８】
2007205013.tif 000010
【図９】
2007205013.tif 000011
【図１０】
2007205013.tif 000012